【事件の表示】
　平成　９年特許願第　５９２６２号「インクジェット記録装置」拒絶査定不服審判事件〔平成１０年　９月２２日出願公開、特開平１０−２５００６８〕について、次のとおり審決する。
【結　論】
　本件審判の請求は、成り立たない。
【理　由】
１．手続の経緯
　主な手続の経緯は以下のとおりである。
　出願日　　　　　　　　　　　　　　　　　　　平成　９年　３月１３日
　拒絶理由通知　　　　　　　　　　　　　　　　平成１６年　７月２７日
　拒絶査定　　　　　　　　　　　　　　　　　　平成１７年　３月　２日
　審判請求　　　　　　　　　　　　　　　　　　平成１７年　４月　６日
　明細書の手続補正（以下「本件補正」という。）平成１７年　５月　６日
　拒絶理由通知（前置審査）　　　　　　　　　　平成１７年　６月２４日
　なお、上記平成１７年６月２４日付け（同年同月２８日発送）の拒絶理由通知（前置審査）の指定期間内及び該期間経過後においても、当該拒絶理由通知に対して請求人からは何らの応答もない。
　　
２．本件補正の却下の決定 
 ［本件補正の却下の決定の結論］ 
　本件補正を却下する。 
 　 
 ［理由］ 
（１）補正後の本願発明
　本件補正により、特許請求の範囲の請求項１は、補正前の
「所定のデータに基づいて電圧を印加することにより圧電素子を駆動し、所定の容器から互いに異なる大きさのインク滴を飛翔させて画像の記録を行なう、インクジェット記録装置であって、
  前記互いに異なる大きさのインク滴には、比較的速い速度で飛翔するインク滴と、比較的遅い速度で飛翔するインク滴とが含まれ、
  前記比較的速い速度で飛翔するインク滴をまとめて印字する手段と、
  前記比較的遅い速度で飛翔するインク滴をまとめて印字する手段とを含む、インクジェット記録装置。」
から、補正後の
「所定のデータに基づいて電圧を印加することにより圧電素子を駆動し、所定の容器から互いに異なる大きさのインク滴を
吐出する複数のノズルを有したヘッドを主走査することにより記録シートに
　前記互いに異なる大きさのインク滴には、比較的速い速度で飛翔するインク滴と、比較的遅い速度で飛翔するインク滴とが含まれ、
　前記比較的速い速度で飛翔するインク滴
のみ
第１の主走査の間に
　前記比較的遅い速度で飛翔するインク滴
のみ
前記第１の主走査とは異なる第２の主走査の間に
と補正された（補正個所に下線を引いた。）。
　上記補正は、請求項１に記載した発明を特定するために必要な事項である「インクジェット記録装置」及び各「印字する手段」を上記のように限定するものであるから、平成１８年改正前特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　　　
（２）先願明細書
　ア．先願明細書の記載事項
　前置審査の拒絶の理由に引用された、本願の出願日前の他の出願であって、その出願後に出願公開された特願平９−５１４１８号（特開平１０−２４４６９１号公報参照、以下「先願」という。）の出願当初の明細書及び図面（以下「先願明細書」という。）には、本願補正発明に関連する事項として、以下の事項が記載されている。
　ａ．「インクジェット記録装置の中には、インク射出部を所定の長さに構成し、このインク射出部の容量を圧電変換器により可変し、インク溜からインクを吸引し、ノズルよりインク滴を射出する装置が提案されている。・・・インクジェット記録装置では異なる大きさのインク滴を同じ射出速度で出力することは困難である。図１０（ａ）、（ｂ）はこのことを説明する図であり、同図（ａ）は大滴Ｉを射出する例を示し、同図（ｂ）は小滴ｉを射出する例を示す。また、両図ともインク射出部（印字ヘッド先端）２１の移動速度は同じＶであり、インク射出部２１から用紙Ｐまでの距離も同じＨである。ここで、インク射出部２１は移動速度Ｖで矢印方向に移動しながらインクを射出するので、インクＩまたはｉが用紙Ｐに着弾する位置はインク射出部２１の直下位置であるＩ”あるいはｉ”より下流の着弾位置Ｉ’あるいはｉ’となる。ここで大滴Ｉの着弾位置Ｉ’と直下位置Ｉ”間の距離をＬＢ、小滴ｉの着弾位置ｉ’と直下位置ｉ”間の距離をＬＳとする。大滴Ｉの場合は射出エネルギが大きく、射出時にノズルからインクが引きちぎられる際の抵抗も小さく射出速度（ＶＬ）も早いので、同図（ａ）に示すように距離ＬＢは比較的短いが、小滴ｉの場合は射出エネルギーが小さく、射出時にノズルからインクが引きちぎられる際の抵抗も大きく射出速度（ＶＳ）も遅いので、同図（ｂ）に示すように距離ＬＳは比較的長くなる。したがって、上記理由から、例えば大滴Ｉと小滴ｉを交互に印字した場合、図１１（ａ）のような印字結果となる。すなわち、インク射出部を図に示す右方向に移動させた場合は大滴Ｉを基準とすれば小滴ｉが右方にずれた印字となり、小滴ｉを基準とすれば大滴Ｉが左方にずれた印字となる。さらに、図１１（ｂ）は列状のインク射出部２１を往復駆動し、印刷処理を行う場合の例を示すものである。この場合、大滴Ｉの印字位置を基準とすれば、往路（Ｉ）において小滴ｉが右方にずれ、復路（ＩＩ）において小滴ｉが左方にずれ、見苦しい画像となる。」（段落【０００３】〜【０００７】参照）
　ｂ．「本発明は上記課題を解決するため、大滴Ｉと小滴ｉの印字ずれをなくし、印字品質の優れた画像の作成を可能とするインクジェット記録装置を提供するものである。・・・請求項１記載の発明は上記課題を解決するため、ノズルより小滴と大滴の大きさの異なる２種類のインク滴を射出可能なインクジェット記録装置において、前記ノズルを主走査方向に往復移動させ、印字データに基づき大きさの異なるインク滴を前記ノズルから射出させるべく制御を行う制御手段を有し、該制御手段は、前記ノズルの往移動で一方の大きさのインク滴を射出させ、前記ノズルの復移動で他方の大きさのインク滴を射出させるインクジェット記録装置を提供することによって達成できる。すなわち、同じノズルを使用し、一方向の走査においては同じ大きさのインク滴を射出することで、インク滴の大きさの違いによる印字位置のずれをなくし、印字品質の優れた画像を得るものである。」（段落【０００８】〜【００１０】参照）
　ｃ．「請求項８の記載は、請求項１又は２の記載をより具体的にするものであり、ノズルは副走査方向に複数の射出ノズルを備える構成である。このように構成することにより、例えば列状のノズルを用い大滴、小滴の印字を列状に一括して行うことができる。」（段落【００１９】参照）
　ｄ．「図２は印字ヘッド９に設けられたインク射出部１０の断面構成図である。同図において、インク射出部１０はチャンネル１１、インク供給部１２、ノズル１３、及びチャンネル１１の上部に設けられた圧電変換部１４で構成されている。また、圧電変換部１４は内電極１５と外電極１６間に圧電素子１７を介装した構造であり、内電極１５はチャンネル１１に沿って設けられ、外電極１６は圧電素子１７上に設けられている。尚、内電極１５及び外電極１６にはそれぞれ電極１５’、１６’を介して後述する電圧が印加される。」（段落【００２５】参照）
　ｅ．「図５は大滴Ｉドットと、小滴ｉドットの印字処理を往路と復路で分けて示した図である。同図（ａ）は往路で行う大滴Ｉ印字を示し、同図（ｂ）は復路で行う小滴ｉ印字を示す。また、同図（ｃ）は両印字を記録紙に印字した状態を示す。以上のように、インク射出部１０を右方向に移動する際（往路）、大滴Ｉの印字を行い、インク射出部１０を左方向に移動する際（復路）、小滴ｉの印字を行い、それぞれの印字開始位置（第１印字ライン位置）を大滴Ｉと小滴ｉの着弾位置のずれに対応させて設定することにより、大滴Ｉと小滴ｉのインク滴のずれ量をインク射出部１０の移動方向に基づいて一括補正でき、印字位置の正確な画像を得ることができる。尚、往路で小滴ｉの印字を行い、復路で大滴の印字を行っても同様な結果を得られる。この時はインクの射出開始タイミングを往路ではＬＬ−ＬＳ、復路ではＬＲ−ＬＢに調整する必要がある。」（段落【００３１】〜【００３２】参照）
　ｆ．「図６は大滴Ｉの印字動作を説明するタイムチャートである。尚、同図において、（ａ）は内電極１５に印加する電圧波形を示し、（ｂ）は外電極１６に印加する電圧波形を示し、（ｃ）はノズル１３の先端部の圧力波のレベルを示す。また、この圧力波がマイナスである時、ノズル１３からチャンネル１１方向への圧力波を示し、プラスである時ノズル１３からインクを射出する方向への圧力波を示す。先ず、内電極１５に図６（ａ）に示すレベル１の電圧をＬ／Ｓ＋２・ａ／Ｓの時間印加する。ここでＬは図２に示す圧電変換部の長さ、ａは圧電変換部１４からチャンネル１１の後端までの長さ、Ｓは圧力波の伝搬速度を示す。この電圧印加により圧電素子１７は変形し、チャンネル１１の容量が拡大する方向に変位する。また、内電極１５に上述の電圧を印加する時間は上述のようにＬ／Ｓ＋２・ａ／Ｓであり、この間、負の圧力波がインク供給口１２とノズル１３方向に生じる。ノズル１３方向に進行する負の圧力波は時間ｂ／Ｓ（ｂ：図２に示す圧電変換部１４の先端からノズル１３先端までの距離）でノズル１３の先端部に到達した後、減衰し符号反転し（反射係数：−０．３）、インク供給口１２方向に反射される。一方、インク供給口１２方向に進行する圧力波は時間ａ／Ｓで、チャンネル１１の後端に到達した後、符号反転し（反射係数：−１．０）、ノズル１３方向に反射される。このチャンネル１１の後端で反射したレベル１の圧力パルス波が、反射後、時間ａ／Ｓ＋Ｌ／Ｓで圧電変換部１４の先端に達する。ここで、この時まで内電極１５に印加していた電圧を切り、接地に落とす。また、これと同時に外電極１６にレベル１の電圧を印加し、これにより圧電素子１７前の状態とは逆の電圧を加え、圧電変換部１４を変形させ、チャンネル１１内の容積を減少させる。圧電変換部１４のこの変位により、チャンネル１１内は加圧され、拡大方向に変位していた圧電変換部１４が待機状態に戻ると共に、新たにチャンネル１１内の容積を変位させることでプラス方向の圧力波がノズル１３方向に発生する。このノズル１３方向に進行する圧力波は、前述の後端で反射された圧力波と重畳され、３倍の圧力波となり、外電極１６に電圧を印加後、時間ｂ／Ｓでノズル１３の先端に到達し、チャンネル１１内の容積の減少に伴いノズル１３より吐出するインクに射出エネルギーを与え、記録紙にインク滴を射出する。この処理により、大きな圧力波を得ることができ、大滴Ｉの印字を記録紙に行うことができる。このとき用紙に印字されるドットの中心は同図（ｃ）に示す圧力波の中心に対応して形成される。」（段落【００３４】〜【００３９】参照）
　ｇ．「本例の印字処理の際の復路で行う小滴ｉ印字処理を説明する。図７（ａ）〜（ｃ）はこの処理を説明するタイムチャートであり、同図においても、（ａ）は内電極１５に印加する電圧波形を示し、（ｂ）は外電極１６に印加する電圧波形を示し、（ｃ）はノズル１３の先端部の圧力波のレベルを示す。先ず、長さＬからなる圧電変換部１４の内電極１５に図７（ａ）に示すようにレベル１の電圧を印加し、外電極１６を接地する。このことにより、チャンネル１１の容量を拡大する。その後、時間Ｗａ（Ｗａ＜Ｌ／Ｓ）してから内電極１５を接地する。ここで、上述の内電極１５に電圧を印加したことで発生する圧力波は、時間Ｗａ後に圧電変換部１４に加わる電圧が無くなることで、その際生じる圧力波と重畳され、パルス待機時間Ｗａで値−１の圧力波とこの圧力波と時間Ｌ／Ｓ遅れて時間Ｗａでレベル１の圧力波がインク供給口１２方向とノズル１３方向に生じる。初めに内電極１５に電圧を印加してから時間ｂ／Ｓ後にノズル１３方向に進行した圧力波がノズル１３の先端に到達する。また、初めに内電極１５に電圧を印加してからＬ／Ｓ後に再び内電極１５にレベル１の電圧を時間（２・ａ）／Ｓの間印加し、パルス持続時間（２・ａ）／Ｓで値−１の圧力波をノズル１３方向とインク供給口１２方向に生じ、前の圧力波と一部重畳され、パルス持続時間（２・ａ）／Ｓ−Ｗａで値−１の圧力波となり、ノズル１３方向とインク供給口１２方向に生じさせる。初めに内電極１５に電圧を印加してから時間Ｌ／Ｓ＋（２・ａ）／Ｓの後、内電極１５を接地し、外電極１６に値１の電圧を印加し、パルス持続時間Ｌ／Ｓで値２の圧力波を生じさせ、このノズル１３方向に進行する圧力波と、チャンネル１１の後端で反射され、ノズル１３方向に進行する圧力波が重畳され、パルス持続時間Ｗａで値３の圧力波を作成する。上述のようにして、外電極１６に時間Ｗａだけ電圧をかけた後、内電極１５と外電極１６を共に接地し、圧電変換部１４を待機状態に戻すことで、図７（ｃ）に示すように、パルス持続時間Ｗａで値３のインク滴をノズル１３から射出するだけのエネルギーを持った圧力波を任意の駆動に対し、充分短い時間、ノズル１３の先端に生じさせることができる。尚この場合も用紙に印字されるドットの中心は同図（ｃ）に示す圧力波の中心に対応して形成される。以上のように駆動させることで、復路において短い時間圧力波がノズル１３に加わり、ノズル１３からのインクの吐出量を減少させ、小滴ｉのインクを記録紙に射出することができる。」（段落【００４０】〜【００４５】参照）
　イ．先願発明の認定
　記載ｆの「大滴Ｉ」と記載ｇの「小滴ｉ」は、それぞれ、記載ａの「早い（審決注「速い」の誤記と認定）射出速度（ＶＬ）」と「遅い射出速度（ＶＳ）」で射出されるものであることは明らかであり、これらの「速い射出速度（ＶＬ）」と「遅い射出速度（ＶＳ）」は、相互の比較で速い遅いというのであるから、それぞれ「比較的速い射出速度（ＶＬ）」と「比較的遅い射出速度（ＶＳ）」ということができる。
　また、大滴Ｉを射出するときの電極１５と外電極１６に印加される電圧波形（記載ｆ参照）及び小滴ｉを射出するときの内電極１５と外電極１６に印加される電圧波形（記載ｇ参照）は、インク滴の大きさを異ならせる所定の印字データに基づいていることも明らかである（記載ｂ参照）。
　さらに、「インク射出部１０」は「印字ヘッド９」に設けられるものである（記載ｄ参照）から、記載ｅの「インク射出部１０」が移動されることは印字ヘッドが移動されることに他ならない。
　したがって、記載ａ〜ｇを含む先願明細書には、以下の発明が記載されているといえる。
  「所定の印字データに基づいて所定の電圧波形を圧電素子１７を介装する内電極１５と外電極１６に印加することにより圧電素子１７を駆動し、チャンネル１１から互いに異なる大きさのインク滴を射出する複数のノズル１３を有したインク射出部１０を設けた印字ヘッド９を右方向と左方向に移動することにより記録紙に画像の記録を行なう、インクジェット記録装置であって、
　前記互いに異なる大きさのインク滴には、比較的速い射出速度（ＶＬ）で射出するインク滴と、比較的遅い射出速度（ＶＳ）で射出するインク滴とが含まれ、
　前記比較的速い射出速度（ＶＬ）で射出するインク滴のみを、前記印字ヘッド９が右方向に移動する際（往路）に列状に一括して印字する手段と、
　前記比較的遅い射出速度（ＶＳ）で射出するインク滴のみを、前記印字ヘッド９が左方向に移動する際（復路）に列状に一括して印字する手段とを含む、インクジェット記録装置。」（以下、「先願発明」という。）
　　
（３）対比・判断
　本願補正発明と先願発明とを比較する。
　ア．先願発明の「圧電素子１７」、「ノズル１３」、「印字ヘッド９」、「記録紙」及び「インクジェット記録装置」は、本願補正発明の「圧電素子」、「ノズル」、「ヘッド」、「記録シート」及び「インクジェット記録装置」に相当している。
　イ．先願発明での「射出」とは本願補正発明では「吐出」又は「飛翔」に対応しており、先願発明の「チャンネル１１」は射出するインクを収容するもので、「容器」といえるから、先願発明の「所定の印字データに基づいて所定の電圧波形を圧電素子１７を介装する内電極１５と外電極１６に印加することにより圧電素子１７を駆動し、チャンネル１１から互いに異なる大きさのインク滴を射出する複数のノズル１３を有したインク射出部１０を設けた印字ヘッド９」は、「所定のデータに基づいて電圧を印加することにより圧電素子を駆動し、所定の容器から互いに異なる大きさのインク滴を吐出する複数のノズルを有したヘッド」ということができる。
　ウ．先願発明の「印字ヘッド９を右方向（往路）と左方向（復路）に移動することにより記録紙に画像の記録を行なう」は、「ヘッドを主走査することにより記録シートに画像の記録を行なう」ということができる。
　エ．先願発明の「印字ヘッド９の右方向移動（往路）」及びと「印字ヘッド９の左方向移動（復路）」とは、「第１の主走査」及び「第１の主走査とは異なる第２の主走査」ということができる。
　オ．先願発明の「列状に一括して印字する」は「まとめて印字する」ということができる。
　以上のことから、両者は、
　「所定のデータに基づいて電圧を印加することにより圧電素子を駆動し、所定の容器から互いに異なる大きさのインク滴を吐出する複数のノズルを有したヘッドを主走査することにより記録シートに画像の記録を行なう、インクジェット記録装置であって、
　前記互いに異なる大きさのインク滴には、比較的速い速度で飛翔するインク滴と、比較的遅い速度で飛翔するインク滴とが含まれ、
　前記比較的速い速度で飛翔するインク滴のみを第１の主走査の間にまとめて印字する手段と、
　前記比較的遅い速度で飛翔するインク滴のみを前記第１の主走査とは異なる第２の主走査の間にまとめて印字する手段とを含む、インクジェット記録装置。」
である点で一致し、両者の間に格別な相違点がない。
　したがって、本願補正発明は、先願発明と同一であり、しかも、本願補正発明の発明者が上記先願発明の発明者と同一であるとも、また、本願の出願時に、その出願人が上記先願の出願人と同一であるとも認められないので本願補正発明は、特許出願の際特許法第２９条の２第１項の規定により特許を受けることができない。
（４）むすび
　以上のとおり、本件補正は、平成１８年改正前特許法第１７条の２第５項で準用する同法第１２６条第５項の規定に違反するものであり、特許法第１５９条第１項で準用する特許法第５３条第１項の規定により却下されるべきものである。
　
３．本願発明について
　本件補正は上記のとおり却下されたので、本願の請求項１に係る発明（以下、「本願発明」という。）は、上記補正前の特許請求の範囲の請求項１に記載された事項により特定されるとおりのものと認める（上記２．（１）参照）。
（１）先願発明
　前置審査の拒絶の理由に引用された先願、先願明細書に記載された事項及び先願発明は、上記「２．（２）」に記載したとおりである。
　　
（２）対比・判断
　本願発明と先願発明を対比する。
　ア．先願発明の「圧電素子１７」及び「インクジェット記録装置」は、本願発明の「圧電素子」及び「インクジェット記録装置」に相当している。
　イ．先願発明での「射出」とは本願発明では「飛翔」に対応しており、先願発明の「チャンネル１１」は射出するインクを収容するもので、「容器」といえる。
　ウ．先願発明の「所定の印字データに基づいて所定の電圧波形を圧電素子１７を介装する内電極１５と外電極１６に印加することにより圧電素子１７を駆動し、チャンネル１１から互いに異なる大きさのインク滴を射出する複数のノズル１３を有したインク射出部１０を設けた印字ヘッド９を右方向と左方向に移動することにより記録紙に画像の記録を行なう、インクジェット記録装置」は、「所定のデータに基づいて電圧を印加することにより圧電素子を駆動し、所定の容器から互いに異なる大きさのインク滴を飛翔させて画像の記録を行なう、インクジェット記録装置」ということができる。
　エ．先願発明の「比較的速い射出速度（ＶＬ）で射出するインク滴のみを、印字ヘッド９が右方向に移動する際（往路）に列状に一括して印字する手段」及び「比較的遅い射出速度（ＶＳ）で射出するインク滴のみを、印字ヘッド９が左方向に移動する際（復路）に列状に一括して印字する手段」は、それぞれ、「比較的速い速度で飛翔するインク滴をまとめて印字する手段」及び「比較的遅い速度で飛翔するインク滴をまとめて印字する手段」ということができる。
　以上のことから、両者は、
　「所定のデータに基づいて電圧を印加することにより圧電素子を駆動し、所定の容器から互いに異なる大きさのインク滴を飛翔させて画像の記録を行なう、インクジェット記録装置であって、
  前記互いに異なる大きさのインク滴には、比較的速い速度で飛翔するインク滴と、比較的遅い速度で飛翔するインク滴とが含まれ、
  前記比較的速い速度で飛翔するインク滴をまとめて印字する手段と、
  前記比較的遅い速度で飛翔するインク滴をまとめて印字する手段とを含む、インクジェット記録装置。」
である点で一致し、両者の間に格別な相違点がない。
　したがって、本願発明は、先願発明と同一であり、しかも、本願発明の発明者が上記先願発明の発明者と同一であるとも、また、本願の出願時に、その出願人が上記先願の出願人と同一であるとも認められないので、本願発明は、特許法第２９条の２第１項の規定により特許を受けることができない。
　　
４．結び
　以上のとおりであるから、本件補正は却下されなければならず、本願発明が特許を受けることができないから、本願のその余の請求項に係る発明について検討するまでもなく、本願は拒絶を免れない。 
　よって、結論のとおり審決する。